(57)【特許請求の範囲】
【請求項１】
扉を回転自在に支えるヒンジであって、
前記扉を保持する保持部と、
外周にネジを備え、前記保持部を下方から回転自在に支持する支持部と、
内周にネジを備え、前記支持部の前記ネジに回転自在に接続する回転部と、
前記保持部に配置され、前記支持部が前記保持部に対して回転することを規制する第１の規制部と、
前記保持部に配置され、前記回転部が前記保持部に対して上下方向において移動することを規制する第２の規制部と、を有し、
前記第１の規制部は、前記支持部を挿入する非円形状の貫通孔を備え、
前記貫通孔を含む部分は、前記支持部の外面と接触している、ヒンジ。
【請求項２】
前記第２の規制部は、前記回転部を挿入する収容部を備え、
前記収容部は、前記回転部の上端に接触している、請求項１に記載のヒンジ。
【請求項３】
前記支持部を移動させずに、前記保持部を前記扉の横幅方向に沿って移動させる調節部材を、さらに有し、
前記調節部材は、前記扉の横幅方向に沿って延在し、上下方向に沿って起立した前記支持部に挿入されていない、請求項１または２に記載のヒンジ。
【請求項４】
前記保持部は、前記回転部を外部に臨ませる穴を備えている、請求項１〜３のいずれか１項に記載のヒンジ。
【発明の詳細な説明】
【技術分野】
【０００１】
本発明は、扉を回転自在に支えるヒンジに関する。
【背景技術】
【０００２】
従来から、扉を回転自在に支えるヒンジが知られている。ヒンジの支持軸（下部ピポット）は、扉を保持する保持部（取付用袖板）に設けられた雌ねじ筒にねじ込まれている。支持軸（下部ピポット）は、雌ねじ筒から下方に向かって突出している。支持軸（下部ピポット）に一体に設けられた回転部（高さ調節用鍔部）を回転させることによって、雌ねじ筒から突出した部分の支持軸（下部ピポット）の長さを変更して、扉の高さを調整する（例えば特許文献１を参照。）。
【先行技術文献】
【特許文献】
【０００３】
【特許文献１】実開昭５９−７８４７２号公報
【発明の概要】
【発明が解決しようとする課題】
【０００４】
特許文献１に記載の構成では、回転部（高さ調節用鍔部）を回転させることによって、扉を保持する保持部（取付用袖板）を上下に移動させようとすると、支持軸（下部ピポット）も回転してしまう。したがって、このような構成では、扉を回転させて開閉させたときに、その扉の回転に伴って扉の高さが意図せずに上下方向にずれてしまう虞がある。【０００５】
本発明の目的は、扉の回転に伴って扉の高さが意図せずに上下方向にずれることを防止できるヒンジを提供することである。
【課題を解決するための手段】
【０００６】
上記目的を達成するための本発明のヒンジは、扉を回転自在に支えるヒンジであって、前記扉を保持する保持部と、外周にネジを備え、前記保持部を下方から回転自在に支持する支持部と、内周にネジを備え、前記支持部の前記ネジに回転自在に接続する回転部と、前記保持部に配置され、前記支持部が前記保持部に対して回転することを規制する第１の規制部と、前記保持部に配置され、前記回転部が前記保持部に対して上下方向において移動することを規制する第２の規制部と、を有し、前記第１の規制部は、前記支持部を挿入する非円形状の貫通孔を備え、前記貫通孔を含む部分は、前記支持部の外面と接触している。
【発明の効果】
【０００７】
かかるヒンジによれば、支持部は、扉を保持する保持部に対して回転することなく、保持部に対して上下に移動することができる。すなわち、支持部は、扉の回転に伴って、扉を保持する保持部と共に回転するが、保持部に対して回転しない。したがって、かかるヒンジによれば、扉の回転に伴って扉の高さが意図せずに上下方向にずれることを防止できる。
【図面の簡単な説明】
【０００８】
【図１】実施形態のヒンジを扉に使用した大型キャビネットを模式的に示す斜視図である。
【図２Ａ】ヒンジを正面側から示す斜視図である。
【図２Ｂ】ヒンジを裏面側から示す斜視図である。
【図３】ヒンジを一の垂直面（横幅方向Ｙおよび高さ方向Ｚ）に沿って断面で示す側面図である。
【図４】ヒンジを他の垂直面（厚み方向Ｘおよび高さ方向Ｚ）に沿って断面で示す側面図である。
【図５Ａ】ヒンジを部分的に分解して表面側から示す斜視図である。
【図５Ｂ】ヒンジを部分的に分解して裏面側から示す斜視図である。
【図６Ａ】ヒンジの要部を分解して裏面側の上方から示す斜視図である。
【図６Ｂ】ヒンジの要部を分解して裏面側の下方から示す斜視図である。
【図７Ａ】ヒンジの高さの調整方法の要部を示す図であって、ヒンジの高さを最も低く調整した状態で示す斜視図である。
【図７Ｂ】図７Ａの状態を断面で示す側面図である。
【図８Ａ】ヒンジの高さの調整方法の要部を示す図であって、ヒンジの高さを最も高く調整した状態で示す斜視図である。
【図８Ｂ】図８Ａの状態を断面で示す側面図である。
【発明を実施するための形態】
【０００９】
以下、添付した図面を参照しながら、本発明の実施形態を説明する。図面において、同一の部材には同一の符号を付し、重複する説明を省略する。
【００１０】
各図において、Ｘ、Ｙ、およびＺで表す矢印を使用して、ヒンジ１００の方位を示している。Ｘによって表す矢印の方向は、ヒンジ１００の厚み（奥行）方向Ｘを示している。Ｙによって表す矢印の方向は、ヒンジ１００の横幅方向Ｙを示している。Ｚによって表す矢印の方向は、ヒンジ１００の高さ方向Ｚを示している。
【００１１】
図７Ｂを参照して、実施形態に係るヒンジ１００は、概説すれば、扉５０２を回転自在に支えるヒンジ１００であって、扉５０２を保持する保持部（表側プレート１０１および裏側プレート１１１等）と、外周にネジ（ネジ山１１５ｄ）を備え、保持部を下方から回転自在に支持する支持部（回転軸１１５）と、内周にネジ（ネジ溝１１４ｂ）を備え、回転軸１１５のネジ山１１５ｄに回転自在に接続する回転部（上下調整リング１１４）と、保持部に配置され、回転軸１１５が保持部に対して回転することを規制する第１の規制部（左右調整コマ１０６の非円形状の下部貫通孔１０６ｃ）と、保持部に配置され、上下調整リング１１４が保持部に対して上下方向において移動することを規制する第２の規制部（左右調整コマ１０６の上下方向に狭い収容部１０６ａ）と、を有する。
【００１２】
（ヒンジ１００の構成）
図１〜図６Ｂを参照しつつ、ヒンジ１００の構成を説明する。
【００１３】
図１は、実施形態のヒンジ１００を扉５０２に使用した大型キャビネット５００を模式的に示す斜視図である。図２Ａは、ヒンジ１００を正面側から示す斜視図である。図２Ｂは、ヒンジ１００を裏面側から示す斜視図である。図３は、ヒンジ１００を一の垂直面（横幅方向Ｙおよび高さ方向Ｚ）に沿って断面で示す側面図である。図４は、ヒンジ１００を他の垂直面（厚み方向Ｘおよび高さ方向Ｚ）に沿って断面で示す側面図である。図５Ａは、ヒンジ１００を部分的に分解して表面側から示す斜視図である。図５Ｂは、ヒンジ１００を部分的に分解して裏面側から示す斜視図である。図６Ａは、ヒンジ１００の要部を分解して裏面側の上方から示す斜視図である。図６Ｂは、ヒンジ１００の要部を分解して裏面側の下方から示す斜視図である。
【００１４】
ヒンジ１００は、図１に示すように、例えば、大型キャビネット５００の筐体５０１に設置して、扉５０２を回転自在に保持するものである。ヒンジ１００は、手前開きの状態において、右側に蝶番のあるＲヒンジ（右吊元）として説明するが、左側に蝶番のあるＬヒンジ（左吊元）にも適用することができる。ヒンジ１００は、扉５０２を下側から回転自在に保持する。ヒンジ１００を構成する表側プレート１０１〜座金１１７を順に説明する。
【００１５】
表側プレート１０１は、図２Ａ〜図５Ｂに示し、扉５０２を片側（表面側）の下方から保持するものである。表側プレート１０１は、扉５０２に対向する基部１０１ａと、基部１０１ａから扉５０２の下方に向かって突出した突出部１０１ｂを備えている。表側プレート１０１は、基部１０１ａの側面１０１ｃおよび突出部１０１ｂの上面に相当する載置面１０１ｄによって、表側パッキン１０９および下側パッキン１１０を介して扉５０２を保持する。突出部１０１ｂは、左右調整コマ用ボックス１０２を収容する収容室１０１ｅが形成されている。収容室１０１ｅは、左右調整コマ用ボックス１０２の横幅方向Ｙに沿った他端側（左右調整ネジ１０７が存在しない側）を支持し、左右調整コマ用ボックス１０２にガタツキが生じないように収容している。突出部１０１ｂは、第２六角穴付き皿ボルト１０５を収容室１０１ｅに向かって挿入するネジ穴１０１ｆと、第３六角穴付き皿ボルト１１３をネジ留めする３つのネジ穴１０１ｇが形成されている。突出部１０１ｂは、収容室１０１ｅまで貫通し横幅方向Ｙに沿って長尺状の長穴１０１ｈが形成されている。突出部１０１ｂに形成された長穴１０１ｈを介して、内部に配置された上下調整リング１１４を回転させる。表側プレート１０１は、例えば黄銅（真鍮）からなる。
【００１６】
左右調整コマ用ボックス１０２は、図２Ａ〜図６Ｂに示し、左右調整コマ１０６を横幅方向Ｙに沿って移動自在に収容するものである。左右調整コマ用ボックス１０２は、左右調整コマ１０６を横幅方向Ｙに沿って移動自在に収容する長方形状の収容室１０２ａが形成されている。収容室１０２ａは、左右調整コマ用ボックス１０２の下部から中央まで切り欠いて構成している。左右調整コマ用ボックス１０２は、側壁において収容室１０２ａまで貫通し左右調整ネジ１０７を挿入する貫通孔１０２ｂと、貫通孔１０２ｂを備えた面と直交する側壁において貫通孔１０２ｂまで貫通しカシメピン１０８を挿入する貫通孔１０２ｃが形成されている。左右調整コマ用ボックス１０２は、収容室１０２ａから上部まで貫通し、回転軸１１５を回転自在に挿入させる横幅方向Ｙに沿って長尺な長孔１０２ｄが形成されている。左右調整コマ用ボックス１０２は、下部の両端において第１六角穴付き皿ボルト１０４をネジ留めする一対のネジ穴１０２ｅが形成されている。左右調整コマ用ボックス１０２は、例えば黄銅（真鍮）からなる。
【００１７】
裏蓋１０３は、図３〜図６Ｂに示し、左右調整コマ１０６を収容する左右調整コマ用ボックス１０２を下方から被覆するものである。裏蓋１０３は、回転軸１１５を回転自在に挿入する横幅方向Ｙに沿って長尺な長孔１０３ａと、第１六角穴付き皿ボルト１０４を挿入する一対の貫通孔１０３ｂが形成されている。裏蓋１０３は、例えば冷間圧延鋼板からなる。
【００１８】
第１六角穴付き皿ボルト１０４は、図６Ａおよび図６Ｂに示し、裏蓋１０３を左右調整コマ用ボックス１０２に固定するものである。第１六角穴付き皿ボルト１０４は、裏蓋１０３の一対の貫通孔１０３ｂに挿入し、左右調整コマ用ボックス１０２の一対のネジ穴１０２ｅにネジ留めされる。
【００１９】
第２六角穴付き皿ボルト１０５は、図２Ｂ、図５Ａおよび図５Ｂに示し、左右調整コマ用ボックス１０２を表側プレート１０１に固定するものである。第２六角穴付き皿ボルト１０５は、表側プレート１０１のネジ穴１０１ｆを介して、左右調整コマ用ボックス１０２を固定する。
【００２０】
左右調整コマ１０６は、図３〜図６Ｂに示し、表側プレート１０１に保持された扉５０２の位置を横幅方向Ｙに沿って調整するものである。左右調整コマ１０６は、左右調整コマ用ボックス１０２の収容室１０２ａに収容される。左右調整コマ１０６は、上下調整リング１１４を回転自在に収容する収容部１０６ａが形成されている。収容部１０６ａは、上下調整リング１１４の上端に接触する。左右調整コマ１０６は、側壁において左右調整ネジ１０７をネジ留めするネジ穴１０６ｂが形成されている。左右調整コマ１０６は、下部において回転軸１１５を上下に移動自在に挿入させる非円形状の下部貫通孔１０６ｃが形成されている。非円形状は、例えば、矩形状、台形状、および楕円形状等であって、真円形状を除いた形状を称する。左右調整コマ１０６は、上部において回転軸１１５を上下に移動自在に挿入させる円形状の上部貫通孔１０６ｄが形成されている。左右調整コマ１０６は、例えば黄銅（真鍮）からなる。
【００２１】
左右調整ネジ１０７は、図２Ａ〜図６Ｂに示し、左右調整コマ１０６を横幅方向Ｙに沿って移動させるものである。左右調整ネジ１０７は、回転軸１１５を移動させずに、表側プレート１０１および裏側プレート１１１等を扉５０２の横幅方向Ｙに沿って移動させる。左右調整ネジ１０７は、左右調整コマ用ボックス１０２の貫通孔１０２ｂに挿入した状態で、左右調整コマ１０６のネジ穴１０６ｂと接続されている。左右調整ネジ１０７を回転させると、左右調整コマ１０６が、左右調整コマ用ボックス１０２の内壁と接触した状態で、横幅方向Ｙに沿って左右に移動する。左右調整ネジ１０７は、回転軸１１５に挿入されていない（回転軸１１５を貫通していない）。
【００２２】
カシメピン１０８は、図６Ａおよび図６Ｂに示し、左右調整ネジ１０７が左右調整コマ用ボックス１０２から脱落することを防止し、かつ、左右調整ネジ１０７が左右調整コマ用ボックス１０２に対して横幅方向Ｙに沿って移動することを防止するものである。カシメピン１０８は、長細い円柱形状からなり、左右調整コマ用ボックス１０２の貫通孔１０２ｃに挿入される。カシメピン１０８は、その先端が、左右調整ネジ１０７の基端側の円周方向に沿って形成された凹部と接触する。カシメピン１０８は、左右調整ネジ１０７の回転を妨げない。カシメピン１０８は、例えばステンレス鋼からなる。
【００２３】
表側パッキン１０９は、図２Ｂ〜図５Ｂに示し、表側プレート１０１の側から扉５０２を保護するものである。表側パッキン１０９は、表側プレート１０１と扉５０２との間に配置される。表側パッキン１０９は、表側プレート１０１の側面１０１ｃの一部に沿った形状からなり、表側プレート１０１よりも十分に薄い。表側パッキン１０９は、例えばクロロプレンゴムからなる。
【００２４】
下側パッキン１１０は、図２Ａ〜図５Ｂに示し、扉５０２の下側を保護するものである。下側パッキン１１０は、表側プレート１０１の載置面１０１ｄと扉５０２との間に配置される。下側パッキン１１０は、表側プレート１０１の載置面１０１ｄの一部に沿った形状からなり、表側プレート１０１よりも十分に薄い。下側パッキン１１０は、表側パッキン１０９と同様に、例えばクロロプレンゴムからなる。
【００２５】
裏側プレート１１１は、表側プレート１０１と対向して、扉５０２を片側（裏面側）の下方から保持するものである。裏側プレート１１１は、扉５０２に対向する基部１１１ａを備えている。裏側プレート１１１は、基部１１１ａの側面１１１ｂによって、裏側パッキン１１２を介して扉５０２を保持する。基部１１１ａは、第３六角穴付き皿ボルト１１３を挿入する３つの貫通孔１１１ｃが形成されている。裏側プレート１１１は、表側プレート１０１と同様に、例えば黄銅（真鍮）からなる。
【００２６】
裏側パッキン１１２は、図２Ａ〜図４〜図５Ｂに示し、裏側プレート１１１の側から扉５０２を保護するものである。裏側パッキン１１２は、裏側プレート１１１と扉５０２との間に配置される。裏側パッキン１１２は、表側パッキン１０９と同一の形状からなり、裏側プレート１１１よりも十分に薄い。裏側パッキン１１２は、表側パッキン１０９と同様に、例えばクロロプレンゴムからなる。
【００２７】
第３六角穴付き皿ボルト１１３は、図２Ｂ、図４〜図５Ｂに示し、表側プレート１０１と裏側プレート１１１をネジ留めするものである。３つの第３六角穴付き皿ボルト１１３が、裏側プレート１１１に３つ備えられた貫通孔１１１ｃに挿入され、表側プレート１０１に３つ備えられたネジ穴１０１ｇにネジ留めされる。
【００２８】
上下調整リング１１４は、図３〜図６Ｂに示し、回転軸１１５を回転させることなく上下（高さ方向Ｚ）に移動させるものである。上下調整リング１１４は、左右調整コマ１０６の収容部１０６ａに対して、高さ方向Ｚに沿って若干の隙間しかない状態において、回転自在に挿入される。上下調整リング１１４は、円筒形状からなり、回転軸１１５の上部を挿入させる挿入孔１１４ａと、挿入孔１１４ａの下部に位置し回転軸１１５のネジ山１１５ｄと接続されるネジ溝１１４ｂが形成されている。上下調整リング１１４は、左右調整コマ１０６の収容部１０６ａの内部において、上下に移動することなく回転する。その結果、上下調整リング１１４と接続された回転軸１１５は、回転することなく上下に移動する。上下調整リング１１４は、外周面に上下調整リング１１４を回転させるための治具（例えば円柱形状の金属棒）を差し込む差込穴１１４ｃが形成されている。上下調整リング１１４は、差込穴１１４ｃを周方向に沿って複数備え、挿入孔１１４ａまで貫通している。上下調整リング１１４は、例えば黄銅（真鍮）からなる。差込穴１１４ｃに差し込まれる金属棒は、回転軸１１５の上部支持柱１１５ｃのうちネジ山１１５ｄが形成されていない細径の部分に接触するまで十分に挿入できることから、回転軸１１５に対して深く差し込んだ状態において、上下調整リング１１４を十分に回転させることができる。
【００２９】
回転軸１１５は、図２Ａ〜図６Ｂに示し、保持部（表側プレート１０１および裏側プレート１１１等）を下方から回転自在に支持するものである。さらに、回転軸１１５は、ヒンジ１００を構成する部材のうち、扉５０２を保持する部材（表側プレート１０１等）を高さ方向Ｚに沿って上下に移動させるものである。回転軸１１５は、円盤形状の鍔１１５ｂを境にして、下方に鍔１１５ｂよりも径が小さい円柱形状の下部支持柱１１５ａが形成され、上方に鍔１１５ｂよりも径が小さい円柱形状の上部支持柱１１５ｃが形成されている。回転軸１１５の下部支持柱１１５ａは、座金ブッシュ１１６に挿入される。上部支持柱１１５ｃは、基端部分が先端部分よりも太く形成され、その基端部分にネジ山１１５ｄが形成されている。上部支持柱１１５ｃは、ネジ山１１５ｄが形成されている部分に、高さ方向Ｚに沿って左右に対向するように切り欠かれた切欠面１１５ｅを備えている。回転軸１１５の鍔１１５ｂは、裏蓋１０３の長孔１０３ａに挿入されることなく、裏蓋１０３を下方から支持している。回転軸１１５の上部支持柱１１５ｃは、裏蓋１０３の長孔１０３ａと左右調整コマ１０６の下部貫通孔１０６ｃに挿入され、その先端部分が左右調整コマ１０６の上部貫通孔１０６ｄに挿入される。回転軸１１５のネジ山１１５ｄの部分に備えられた切欠面１１５ｅは、左右調整コマ１０６の非円形状の下部貫通孔１０６ｃの内面に面接触する。回転軸１１５のネジ山１１５ｄは、上下調整リング１１４のネジ溝１１４ｂに接続される。回転軸１１５は、例えばステンレス鋼からなる。
【００３０】
座金ブッシュ１１６は、図２Ａ〜図５Ｂに示し、回転軸１１５を回転自在に支持するものである。座金ブッシュ１１６は、回転軸１１５の下部支持柱１１５ａを収容する円筒形状の筒部１１６ａと、筒部１１６ａの上端から径方向外方に突出した円盤形状の鍔１１６ｂが形成されている。座金ブッシュ１１６は、例えばプロアセタールからなる。
【００３１】
座金１１７は、図２Ａ〜図５Ｂに示し、座金ブッシュ１１６を筐体５０１に固定するものである。座金１１７は、筐体５０１に接触する長板状の基部１１７ａと、基部１１７ａを貫通し筐体５０１にネジ留めする皿ボルト（不図示）を挿入する貫通孔１１７ｂと、基部１１７ａの一部を下方に窪ませ座金ブッシュ１１６を挿入する筒部１１７ｃが形成されている。座金１１７は、例えば黄銅からなる。
【００３２】
（ヒンジ１００の高さの調整方法）
図７Ａ〜図８Ｂを参照しつつ、ヒンジ１００の高さの調整方法を説明する。
【００３３】
図７Ａは、ヒンジ１００の高さの調整方法の要部を示す図であって、ヒンジ１００の高さを最も低く調整した状態で示す斜視図である。図７Ｂは、図７Ａの状態を断面で示す側面図である。図８Ａは、ヒンジ１００の高さの調整方法の要部を示す図であって、ヒンジ１００の高さを最も高く調整した状態で示す斜視図である。図８Ｂは、図８Ａの状態を断面で示す側面図である。
【００３４】
ヒンジ１００を構成する部材のうち、扉５０２を保持する部材（表側プレート１０１等）を、例えば、図７Ａおよび図７Ｂに示す最も低い位置の状態から、図８Ａおよび図８Ｂに示す高い位置の状態にすることができる。上下調整リング１１４を上方から見て反時計方向に回転させた場合、上下調整リング１１４は、上下に若干の隙間しかない左右調整コマ１０６の収容部１０６ａにおいて、高さ方向Ｚに沿って上下に移動しない。また、回転軸１１５は、上下調整リング１１４のネジ溝１１４ｂと接続されているが、回転軸１１５のネジ山１１５ｄの部分に備えられた切欠面１１５ｅが、左右調整コマ１０６の非円形状の下部貫通孔１０６ｃに面接触していることから回転しない。
【００３５】
したがって、上下調整リング１１４は、上方から見て反時計方向に回転させた場合、回転しない回転軸１１５に沿って回転しながら上昇する。この結果、上下調整リング１１４を収容している左右調整コマ１０６は、上下調整リング１１４によって下方から付勢されて持ち上げられるように上昇する。すなわち、表側プレート１０１等は、左右調整コマ用ボックス１０２を介して左右調整コマ１０６を収容していることから、上昇する。このようにして、ヒンジ１００は、扉５０２を保持する部材（表側プレート１０１等）を上昇させながら、扉５０２を任意の高さに調整することができる。
【００３６】
一方、ヒンジ１００を構成する部材のうち、扉５０２を保持する部材（表側プレート１０１等）を、例えば、図８Ａおよび図８Ｂに示す高い位置の状態から、図７Ａおよび図７Ｂに示す最も低い位置の状態にすることができる。上下調整リング１１４は、上方から見て時計方向に回転させた場合、回転しない回転軸１１５に沿って回転しながら降下することになる。この結果、上下調整リング１１４を収容している左右調整コマ１０６は、上下調整リング１１４によって上方から付勢されて降下する。すなわち、表側プレート１０１等は、左右調整コマ用ボックス１０２を介して左右調整コマ１０６を収容していることから、降下する。このようにして、ヒンジ１００は、扉５０２を保持する部材（表側プレート１０１等）を降下させながら、扉５０２を任意の高さに調整することができる。
【００３７】
（ヒンジ１００の作用効果）
以上説明した実施形態のヒンジ１００の作用効果を説明する。
【００３８】
ヒンジ１００は、扉５０２を回転自在に支えるヒンジ１００であって、扉５０２を保持する保持部（表側プレート１０１および裏側プレート１１１等）と、外周にネジ（ネジ山１１５ｄ）を備え、保持部を下方から回転自在に支持する支持部（回転軸１１５）と、内周にネジ（ネジ溝１１４ｂ）を備え、回転軸１１５のネジ山１１５ｄに回転自在に接続する回転部（上下調整リング１１４）と、保持部に配置され、回転軸１１５が保持部に対して回転することを規制する第１の規制部（左右調整コマ１０６の非円形状の下部貫通孔１０６ｃ）と、保持部に配置され、上下調整リング１１４が保持部に対して上下方向において移動することを規制する第２の規制部（左右調整コマ１０６の上下方向に狭い収容部１０６ａ）と、を有する。
【００３９】
かかるヒンジ１００によれば、回転軸１１５は、扉５０２を保持する保持部に対して回転することなく、保持部に対して上下に移動することができる。すなわち、回転軸１１５は、扉５０２の回転に伴って、扉５０２を保持する保持部と共に回転するが、保持部に対して回転しない。したがって、かかるヒンジ１００によれば、扉５０２の回転に伴って扉５０２の高さが意図せずに上下方向（高さ方向Ｚ）にずれることを防止できる。
【００４０】
すなわち、かかるヒンジ１００によれば、扉５０２の自重によって回転軸１１５が回転して、扉５０２が降下して、扉５０２が底面と干渉することを防止できる。
【００４１】
かかるヒンジ１００によれば、回転軸１１５を回転させることなく、保持部を上下に移動させることができることから、扉５０２が回転して作業の妨げとなることを防止できる。
【００４２】
かかるヒンジ１００によれば、特に、扉５０２が大型で重たい場合であっても、その扉５０２を保持部から取り外すことなく、上下調整リング１１４を回転させるだけで、扉５０２の高さを容易に調整することができる。
【００４３】
かかるヒンジ１００によれば、扉５０２を保持する保持部と、保持部を支持する回転軸１１５を同軸上に配置することができることから、回転軸１１５によって扉５０２の重量を十分に受け止めた状態において、扉５０２の高さを容易に調整することができる。
【００４４】
ヒンジ１００において、第１の規制部（左右調整コマ１０６）は、回転軸１１５を挿入する非円形状の貫通孔（下部貫通孔１０６ｃ）を備え、下部貫通孔１０６ｃを含む部分は、回転軸１１５の外面（切欠面１１５ｅ）と接触する構成が好ましい。
【００４５】
かかるヒンジ１００によれば、上記の非常に簡便な構成によって、上下調整リング１１４を回転させるときに、回転軸１１５が保持部に対して回転することを規制（防止）できる。
【００４６】
ヒンジ１００において、第２の規制部（左右調整コマ１０６の上下方向に狭い収容部１０６ａ）は、上下調整リング１１４を挿入する収容部１０６ａを備え、収容部１０６ａは、上下調整リング１１４の上端に接触する構成が好ましい。
【００４７】
かかるヒンジ１００によれば、上記の非常に簡便な構成によって、上下調整リング１１４を回転させるときに、上下調整リング１１４が保持部に対して上下に移動することを規制（防止）できる。
【００４８】
ヒンジ１００は、回転軸１１５を移動させずに、保持部（表側プレート１０１および裏側プレート１１１等）を扉５０２の横幅方向Ｙに沿って移動させる調節部材（左右調整ネジ１０７）を、さらに有し、左右調整ネジ１０７は、扉５０２の横幅方向Ｙに沿って延在し、上下方向（高さ方向Ｚ）に沿って起立した回転軸１１５に挿入されていないことが好ましい。
【００４９】
かかるヒンジ１００によれば、上下調整リング１１４を回転させるときに、回転軸１１５が左右調整ネジ１０７と干渉することなく上下に移動できる。
【００５０】
ヒンジ１００において、保持部（表側プレート１０１および裏側プレート１１１等）は、上下調整リング１１４を外部に臨ませる穴（長穴１０１ｈ）を備えていることが好ましい。
【００５１】
かかるヒンジ１００によれば、上下調整リング１１４を、保持部（表側プレート１０１および裏側プレート１１１等）に備えられた長穴１０１ｈを介して、容易に回転させることができる。
【００５２】
本発明は、上述した実施形態に限定されることなく、特許請求の範囲に記載された構成に基づいて様々な改変が可能であり、それらの様々な改変についても本発明の範疇である。
【００５３】
実施形態のヒンジ１００は、扉５０２を下方から回転自在に支える構成として説明したが、扉５０２を側方の上部と下部で回転自在に支える構成としてもよい。
【００５４】
本出願は、２０１７年３月１６日に出願された日本特許出願番号２０１７−０５０９６８号に基づいており、それらの開示内容は、参照され、全体として、組み入れられている。
【符号の説明】
【００５５】
１００  ヒンジ、１０１  表側プレート（保持部に相当）、１０１ａ  基部、１０１ｂ  突出部、１０１ｃ  側面、１０１ｄ  載置面、１０１ｅ  収容室、１０１ｆ  ネジ穴、１０１ｇ  ネジ穴、１０１ｈ  長穴（穴に相当）、１０２  左右調整コマ用ボックス、１０２ａ  収容室、１０２ｂ  貫通孔、１０２ｃ  貫通孔、１０２ｄ  長孔、１０２ｅ  ネジ穴、１０３  裏蓋、１０３ａ  長孔、１０３ｂ  貫通孔、１０４  第１六角穴付き皿ボルト、１０５  第２六角穴付き皿ボルト、１０６  左右調整コマ、１０６ａ  収容部（第２の規制部に相当）、１０６ｂ  ネジ穴、１０６ｃ  下部貫通孔（第１の規制部に相当）、１０６ｄ  上部貫通孔、１０７  左右調整ネジ（調節部材に相当）、１０８  カシメピン、１０９  表側パッキン、１１０  下側パッキン、１１１  裏側プレート（保持部に相当）、１１１ａ  基部、１１１ｂ  側面、１１１ｃ  貫通孔、１１２  裏側パッキン、１１３  第３六角穴付き皿ボルト、１１４  上下調整リング（回転部に相当）、１１４ａ  挿入孔、１１４ｂ  ネジ溝、１１４ｃ  差込穴、１１５  回転軸（支持部に相当）、１１５ａ  下部支持柱、１１５ｂ  鍔、１１５ｃ  上部支持柱、１１５ｄ  ネジ山、１１５ｅ  切欠面（外面に相当）、１１６  座金ブッシュ、１１６ａ  筒部、１１６ｂ  鍔、１１７  座金、１１７ａ  基部、１１７ｂ  貫通孔、１１７ｃ  筒部、５００  大型キャビネット、５０１  筐体、５０２  扉、Ｘ  ヒンジ１００の厚み（奥行）方向、Ｙ  ヒンジ１００の横幅方向、Ｚ  ヒンジ１００の高さ方向。
【図１】
0006637190.tif 000002
【図２Ａ】
0006637190.tif 000003
【図２Ｂ】
0006637190.tif 000004
【図３】
0006637190.tif 000005
【図４】
0006637190.tif 000006
【図５Ａ】
0006637190.tif 000007
【図５Ｂ】
0006637190.tif 000008
【図６Ａ】
0006637190.tif 000009
【図６Ｂ】
0006637190.tif 000010
【図７Ａ】
0006637190.tif 000011
【図７Ｂ】
0006637190.tif 000012
【図８Ａ】
0006637190.tif 000013
【図８Ｂ】
0006637190.tif 000014